(57)【要約】【課題】強引な持ち去りを防止できる携帯端末を提供する。【解決手段】携帯端末Ａ１本体と本体外部とを接続すると共に携帯端末Ａ１本体と本体外部の接続の解除を規制するロック装置５と、入力された認証情報の正誤判定をする認証判定部２と、認証結果に応じて携帯端末Ａ１本体と本体外部との接続状態を制御する盗難防止管理部３及びロック機構制御部４とを備える。【選択図】図１
2005184237.tif 000002
【特許請求の範囲】
【請求項１】
携帯端末本体と本体外部とを接続する接続手段と、
前記携帯端末本体と前記本体外部との接続の解除を規制する規制手段とを備える携帯端末。
【請求項２】
請求項１に記載の携帯端末であって、
認証結果に応じて前記携帯端末本体と前記本体外部との接続状態を制御する制御手段を備える携帯端末。
【請求項３】
請求項１または２に記載の携帯端末において、
前記認証結果を外部から受信する受信手段を備える携帯端末。
【請求項４】
本体外部に接続される携帯端末であって、
前記本体外部と前記携帯端末との接続の解除を規制する、前記本体外部に設けられた規制手段に対して、前記本体外部と前記携帯端末本体との接続状態を制御する制御信号を送信する送信手段を備える携帯端末。
【請求項５】
請求項１ないし４のいずれか一項記載の携帯端末において、
前記携帯端末本体と前記本体外部との接続異常を検知する検知手段と、前記接続異常の発生を通知する通知手段とを備える携帯端末。
【請求項６】
請求項１ないし４のいずれか一項記載の携帯端末において、
前記携帯端末本体と前記本体外部との接続異常を検知する検知手段と、前記接続異常を検知して前記携帯端末の操作を制限する制限手段とを備える携帯端末。
【請求項７】
請求項１ないし６のいずれか一項記載の携帯端末において、
前記接続手段は、本体外部の電源供給部に接続される電源受電部を有し、前記電源供給部と前記電源受電部との接続により前記携帯端末本体と前記本体外部とを接続する携帯端末。
【請求項８】
請求項７記載の携帯端末において、
前記検知手段は、前記電源供給部と前記受電部との間の電圧変動に基づいて前記接続異常を検知する携帯端末。
【請求項９】
携帯端末本体と接続されるアダプタであって、
前記携帯端末本体との接続の解除を規制する規制手段を備えるアダプタ。
【請求項１０】
請求項９記載のアダプタであって、
認証結果に応じて前記携帯端末本体との接続状態を制御する制御信号を受信する受信手段を備えるアダプタ。
【請求項１１】
請求項９または１０記載のアダプタにおいて、
前記携帯端末本体との接続異常を検知する検知手段と、前記接続異常の発生を通知する通知手段とを備えるアダプタ。
【請求項１２】
請求項９ないし１１のいずれか一項記載のアダプタにおいて、
前記携帯端末本体との接続異常を検知する検知手段と、前記接続異常を検知して前記携帯端末の操作を制限する制御信号を送信する送信手段とを備えるアダプタ。
【発明の詳細な説明】
【技術分野】
【０００１】
本発明は、携帯端末の盗難防止技術に関する。
【背景技術】
【０００２】
携帯電話機などの携帯端末は、充電器にセットして充電を行うが、この充電時間中は、携帯端末の所有者は、充電現場から離れていることが多く、盗難にあう可能性が高い。携帯端末が盗まれることにより、携帯端末のメモリ内に保存されている様々な機密情報が漏洩したり、不正な通話や非接触ＩＣカードとしての使用による商品またはサービスの不正購入(電子マネー決済)などによって、携帯端末の所有者は重大な損害を蒙ることがある。
【０００３】
一方、バッテリの充電中に充電器がバッテリから外されたことを抜き取り検出手段により自動検出し、この抜き取り検出時に盗難警報装置を作動させてユーザや周囲の人に知らせる電気自動車の充電システムが提案されている（例えば、特許文献１参照）。
【０００４】
【特許文献１】特開２０００−１８４５１１号公報
【発明の開示】
【発明が解決しようとする課題】
【０００５】
しかしながら、このように充電器がバッテリから外されると警報を発生する自動車の充電システムを、携帯端末の盗難防止対策に利用した場合には、盗難検出によって警報を発生しても、第三者はその警報を無視して充電中の携帯端末を強引に持ち去ることができる。従って、盗難による携帯端末の悪用を避けることはできないという問題がある。
【０００６】
本発明はこのような従来の事情に鑑みてなされたものであり、強引な持ち去りを防止できる携帯端末及びそのアダプタを提供することを目的とする。
【課題を解決するための手段】
【０００７】
本発明の携帯端末は、携帯端末本体と本体外部とを接続する接続手段と、前記携帯端末本体と前記本体外部との接続の解除を規制する規制手段とを備える。上記構成によれば、前記接続手段の接続の解除を規制する規制手段を備えることにより、携帯端末が外部と接続された状態を維持するため、強引な持ち去りを防止できる。
【０００８】
また、本発明の携帯端末は、認証結果に応じて前記携帯端末本体と前記本体外部との接続状態を制御する制御手段を備える。また、本発明の携帯端末は、前記認証結果を外部から受信する受信手段を備える。上記構成によれば、認証結果に応じて携帯端末本体と本体外部との接続状態を制御することができるため、セキュリティを高めることができる。
【０００９】
また、本発明の携帯端末は、本体外部に接続される携帯端末であって、前記本体外部と前記携帯端末との接続の解除を規制する、前記本体外部に設けられた規制手段に対して、前記本体外部と前記携帯端末本体との接続状態を制御する制御信号を送信する送信手段を備える。上記構成によれば、前記本体外部と前記携帯端末との接続の解除を規制する、前記本体外部に設けられた規制手段により、携帯端末が外部と接続された状態を維持するため、強引な持ち去りを防止できる。
【００１０】
また、本発明の携帯端末は、前記携帯端末本体と前記本体外部との接続異常を検知する検知手段と、前記接続異常の発生を通知する通知手段とを備える。また、本発明の携帯端末は、前記携帯端末本体と前記本体外部との接続異常を検知する検知手段と、前記接続異常のを検知して前記携帯端末の操作を制限する制限手段とを備える。
【００１１】
また、本発明の携帯端末は、前記接続手段が、本体外部の電源供給部に接続される電源受電部を有し、前記電源供給部と前記電源受電部との接続により前記携帯端末本体と前記本体外部とを接続する。上記構成によれば、端末に備えられている電源受電部を利用して接続手段を構成できる。
【００１２】
また、本発明の携帯端末は、前記検知手段が、前記電源供給部と前記受電部との間の電圧変動に基づいて前記接続異常を検知する。上記構成によれば、通電中の電圧状態を監視するだけで、接続異常を検知できる。
【００１３】
また、本発明のアダプタは、携帯端末本体と接続されるアダプタであって、前記携帯端末本体との接続の解除を規制する規制手段を備える。上記構成によれば、アダプタが携帯端末と接続された状態を維持するため、携帯端末の強引な持ち去りを防止できる。
【００１４】
また、本発明のアダプタは、認証結果に応じて前記携帯端末本体との接続状態を制御する制御信号を受信する受信手段を備える。上記構成によれば、認証結果に応じてアダプタと携帯端末本体との接続状態を制御することができるため、セキュリティを高めることができる。
【００１５】
また、本発明のアダプタは、前記携帯端末本体との接続異常を検知する検知手段と、前記接続異常の発生を通知する通知手段とを備える。さらに、本発明のアダプタは、前記携帯端末本体との接続異常を検知する検知手段と、前記接続異常を検知して前記携帯端末の操作を制限する制御信号を送信する送信手段とを備える。
【発明の効果】
【００１６】
本発明の携帯端末装置及びアダプタによれば、携帯端末本体と本体外部との接続の解除を規制することにより、携帯端末の強引な持ち去りを防止できる。
【発明を実施するための最良の形態】
【００１７】
図１は、携帯端末Ａ１の構成を示すブロック図である。この携帯端末Ａ１は、バッテリを内蔵しており、このバッテリに対する充電は、携帯端末Ａ１本体と本体外部とを接続するプラグを、壁面に設けられた電源供給部であるコンセントや、壁面から導出された電源ケーブル端の充電アダプタ等のアダプタに接続することによって行われる。この接続は、携帯端末Ａ１のプラグ（電源受電部）を、アダプタ（電源給電部）に差し込むことによってなされる。
【００１８】
また、携帯端末Ａ１は、認証入力装置１と、認証判定部２と、認証結果に応じて携帯端末Ａ１本体と本体外部との接続状態を制御する盗難防止管理部３と、ロック機構制御部４と、携帯端末Ａ１本体と本体外部とを接続する機構と携帯端末Ａ１本体と本体外部との接続の解除を規制する機構とを有するロック装置５とを備えている。認証入力装置１は、携帯端末Ａ１に付属の機能キーのほか、他の携帯端末や遠隔のサーバ等を介して入力または送信された認証情報を文字コードや数字コード、あるいはこれらを組み合わせとして入力するものである。認証判定部２は図示しないデータベースに予め記録してある、携帯端末Ａ１や所有者に固有の認証情報を参照して、入力された認証情報が正しいものであるか否かを判定するものである。
【００１９】
盗難防止管理部３は、認証判定部２による判定結果に応じてロックを解除するか否かの制御信号を出力するものである。例えば入力された認証情報が正しくない場合はロックを解除しないよう制御する信号を出力する。ロック機構制御部４は、盗難防止管理部３の出力信号にもとづいてロック機構の制御信号を生成するものである。ロック装置５は、その制御信号を受けて前記電源給電部と電源受電部との接続をロックまたはロック解除するものである。例えば、ロック装置５は、ロック機構制御部４からロックをすべき制御信号を受けると、前記電源給電部と電源受電部の接続をロックする。
【００２０】
次に、携帯端末Ａ１側で認証とロックを行う場合の手順を、図２のフローチャートを参照して説明する。まず、携帯端末Ａ１に内蔵のバッテリに充電をする場合には、携帯端末Ａ１のプラグの電源受電部を電源供給部側のコンセントの電源給電部に差し込む（ステップＳ１１）。これにより、バッテリの充電が開始される。ここで、プラグとコンセントの接続をロック状態にするかどうかを決め（ステップＳ１２）、ロック状態とする場合にロック機構を作動させる（ステップＳ１３）。なお、このステップＳ１２の手順は必要に応じて省くことができる。このロック機構の作動中は、プラグとコンセントの接続解除が不可となる。従って、第三者による携帯電話装置の不正な持ち去り（盗難）を防止できる。
【００２１】
一方、携帯端末Ａ１のユーザが任意に前記ロックを解除しようとする場合には、認証入力装置１から固有の認証情報が入力される（ステップＳ１４）。この認証情報の入力があった場合には、この認証情報がデータベースに予め登録された、基準の認証情報に合致するか否かを認証判定部２が判定する（ステップＳ１５）。合致した場合には、盗難防止管理部３は盗難でないと判断して制御信号をロック機構制御部４に入力する。これにより、ロック機構制御４はロック装置５を作動してプラグとコンセントとの接続ロックを解除する（ステップＳ１６）。
【００２２】
なお、前記認証判定に用いる認証情報としては、機能キーやキーボードから入力される記号、数字、文字などの符号情報のほか、携帯端末Ａ１の所有者の指紋、虹彩などの画像パターン情報等を用いることができる。この実施形態においては、認証結果が正しいと判定されるまで認証判定を繰り返し行っている。しかし、認証判定が設定回数を超えた場合には、通報を発生すると共に、以降のロック解除のステップへ進むことなく処理を終了することができる。また、携帯端末Ａ１が電源供給部とロックされている場合には携帯端末Ａ１の設定を自動的にハンズフリーや留守番電話のモードに変更することで、携帯端末がロックされている状態で着信したときのユーザの利便性を向上できる。また、ユーザのロック解除レベルに応じた認証管理（Ａｄｍｉｎｉｓｔｒａｔｏｒ−Ｇｕｅｓｔ）をすることもできる。さらに、認証情報を持ったサーバ（認証情報データベース）にネットワークを介してアクセスし、認証を行うこともできる。
【００２３】
ここで、ロック装置５は、例えば図３に示すような機構を持つ。図３において、携帯端末Ａ１である携帯電話機Ｔの背面には、携帯電話機Ｔ本体と本体外部とを接続する一対の電源受電部（栓刃）２１および接地ピン２２が突設されている。一方、室内の壁面には携帯電話機Ｔ本体と接続される電源給電部（接触子）およびピン受接触子が設けられている。なお、これらの電源給電部およびピン受接触子は、それぞれコンセント側長孔２３、２４の一端側の内部に設けられており、図面上、外から見えない。電源受電部２１および接地ピン２２は、それぞれコンセント側長孔２３、２４を通して電源給電部およびピン受接触子に差し込まれることで、相互に接触（連結）可能となっている。さらに、携帯電話機Ｔの背面であって接地ピン２２に近接する位置に、携帯電話機Ｔ本体と本体外部との接続の解除を規制するロックピン２５が出入可能に配置されている。このロックピン２５の頭は、通常は前記背面に突出せず、ロック指令を受けることにより、ソレノイド（図示せず）の付勢によって背面より外へ突出するように機能する。
【００２４】
ここで、携帯電話機Ｔの電源受電部２１および接地ピン２２をそれぞれコンセント側長孔２３、２４に差し込み、さらに携帯電話機Ｔを垂直面内で回動操作する。これにより、電源受電部２１および接地ピン２２はコンセント側長孔２３、２４内を移動し、電源給電部およびピン受接触子に接触して停止するとともに、抜き方向の動きが規制される。この状態で、ソレノイドを付勢し、ロックピン２５を突出させる。これにより、ロックピン２５は接地ピン２２に隣り合うように、長孔２４内に挿入される。このロックピン２５によって長孔２４内で接地ピン２２は移動が規制され、前記抜き方向の移動規制状態が保持される。従って、電源受電部２１および接地ピン２２の抜け止めがなされる。なお、ロックピン２５は認証が正しい場合に、機能キーの操作によってソレノイドを消勢させることで、携帯電話機Ｔ内に復帰させることができる。このため、前記回動方向とは逆に携帯端末を戻し操作することで、抜き方向規制が解除され、携帯電話機Ｔを壁面のコンセントから抜き取ることができる。
【００２５】
図４は、図１の携帯端末におけるロック装置の他の構成例を示す概念図であり、携帯電話機Ｔのバッテリを、電源ケーブル２５に接続された充電アダプタ（ＡＣ／ＤＣコンバータブロック）２６を用いて充電するものを示す。この充電を行う場合には、充電アダプタ２６（電源給電部）の先端部側を携帯電話機Ｔの下部に設けられた凹部２７内に押し込む。これにより、充電アダプタ２６の両側面にそれぞれ形成されたＶ溝２８に、凹部２７内に設けられた一対のＬ字形リンク２９端の鉤状係止部３０が係合することにより、携帯電話機Ｔ本体と本体外部とを接続する。Ｌ字形リンク２９はスプリング３１によって支軸３２を中心に回動付勢されているために、係合が可能となる。また、携帯電話機の下面では充電アダプタ２６と凹部２７との間隙が僅かであるため、外部からこの係合を解除することはできず、ロック状態が不正によって外れることはない。一方、このロック状態を解除するには認証情報の入力を行い、認証が正しい場合にのみソレノイド３３を付勢する。これによりプランジャ３４に連結されたＬ字形リンク２９が前記とは逆に回動付勢される。これにより鉤状係止部３０がＶ溝２８から外れ、充電アダプタ２６を凹部２７から簡単に抜き取ることができる。スプリング３１、スプリング３２及びプランジャ３４は、携帯電話機Ｔ本体と本体外部との接続の解除を規制する。
【００２６】
図５は、本発明の実施の他の形態による携帯端末Ａ２を示すブロック図である。この実施の形態では携帯端末Ａ２からの指令によりコンセント（アダプタ）側である電源供給部Ｂ側で電源受電部と電源給電部との接続解除を規制する。携帯端末Ａ２は、認証入力装置４１と、認証判定部４２と、盗難防止管理部４３と、ロック作動情報出力部４４と送受信部４５とを備えている。
【００２７】
これらのうち認証入力装置４１、認証判定部４２および盗難防止管理部４３は、図１に示した認証入力装置１、認証判定部２および盗難防止管理部３と同一機能を持つため、ここではその重複する説明を省略する。ロック作動情報出力部４４は、盗難防止部４３が認証の判定結果にもとづいて出力する盗難防止信号をもとに、ロック作動信号を生成して出力するものである。送受信部４５は、携帯端末Ａ２本体外部と携帯端末Ａ２との接続の解除を規制する、本体外部に設けられたロック装置４８に対して、本体外部と携帯端末Ａ２本体との接続状態を制御するロック作動信号を有線または無線で電源供給部Ｂへ送信する。
【００２８】
携帯端末Ａ２と接続される電源供給部Ｂは、室内の壁面側に取り付けられており、認証結果に応じて携帯端末Ａ２本体との接続状態を制御する制御信号を受信する送受信部４６と、ロック機構制御部４７と、携帯端末Ａ２本体との接続の解除を規制するロック装置４８とからなる。これらのうち、送受信部４６は携帯端末Ａ２から送信されるロック作動信号を受信し、ロック機構制御部４７へ入力する。ロック機構制御部４７はロック作動信号を受けてロック装置４８を作動し、プラグとコンセントとの接続、具体的には電源供給部Ｂ側で電源給電部と電源受電部との接続をロックするものである。
【００２９】
次に、この携帯端末Ａ２の動作の流れを図６について説明する。まず、携帯端末Ａ２のプラグを電源供給部Ｂのコンセントに差し込み（ステップＳ５１）、コンセントを介して、Ｂｌｕｅｔｏｏｔｈ等の所定の通信技術に対応した対象機器（ロック対象機器）との接続が確認された場合には（ステップＳ５２）、続いて、ロックするか否かの問い合わせを行う（ステップＳ５３）。ロックする場合には、ロック装置４８を作動し、プラグとコンセントとの接続状態（電源給電部と電源受電部との接続状態）を規制（ロック）する（ステップＳ５４）。一方、このロック状態においてロック解除しようとする場合には、携帯端末Ａ２の所有者は認証入力装置４１から認証情報を入力する（ステップＳ５５）。認証制御部４２は予め登録された、基準の認証情報と、入力された認証情報とが一致するか否かを判定し（ステップＳ５６）、認証が正しい場合には、盗難防止管理部４３は盗難がないと判断して、ロック作動情報出力部４４にロック解除信号を出力させる。このロック解除信号は送受信部４５を通して電源供給部Ｂへ送信される（ステップＳ５７）。
【００３０】
図７は、電源供給部Ｂの動作の流れを示すフローチャートである。図７において、電源供給部Ｂは、コンセントに差し込まれたプラグ側の携帯端末Ａ２がロック対象機器であるか否かを判断し（ステップＳ５８）、対象機器である場合にはロック作動要求があるか否かを判定する（ステップＳ５９）。ロック作動要求が有る場合には、ロック機構制御部４７がロック装置４８に制御信号を出力し、ロック装置４８がロック機構を作動する（ステップＳ６０）。また、ロック解除要求の有無を判定し（ステップＳ６１）、ロック解除要求があった場合にはロック機構の解除を行う（ステップＳ６２）。このように、携帯端末Ａ２からの指示に従って、携帯端末Ａ２本体と電源供給部Ｂとの接続のロックとロック解除を電源供給部Ｂ側で行うことができる。
【００３１】
図８は、電源供給部Ｂに設けられるロック装置４８の構成例を示す概念図である。携帯端末Ａ２にはプラグの電源受電部（ここでは、二枚ある栓刃の一枚のみを図示する）７１が設けられており、携帯端末Ａ２本体と本体外部とを接続する。電源受電部７１の先端部付近には透孔７２が設けられている。一方、電源供給部Ｂには弾性金属板からなる略Ｕ字形の電源給電部７３が電源受電部７１に対応して配置され、この電源給電部７３の対向片には小孔７４を持った突起部７５がそれぞれ形成されている。前記対向片の一方には突起部７５を被うようにコイルスプリング７６の一端が固定され、このコイルスプリング７６の他端部にはフランジ７７付きのピン７８が支持されている。フランジ７７には支軸８１を中心に回動可能なアーム７９の一端が接触し、他端はソレノイド８０のプランジャに連結されている。フランジ７７付きのピン７８、アーム７９及びプランジャに連結されるソレノイド８０は、携帯端末Ａ２本体と本体外部との接続の解除を規制する。
【００３２】
このような構成のロック装置では、図８（ａ）に示すように、電源供給部Ｂに携帯端末Ａ２を対向させ、電源受電部７１を電源給電部７３内に差し込む。この差し込みは、図８（ｂ）に示すように透孔７２が突起部７５に嵌合するまで行う。この嵌合状態では、電源給電部７３から電源受電部７１を通じて、携帯端末Ａ２に内蔵のバッテリに充電が行われる。また、この嵌合状態で透孔７２および小孔７４が連通する。
【００３３】
一方、認証によって、ロック指令が携帯端末Ａ２から電源供給部Ｂに伝えられると、ロック装置４８が作動される。この作動は、ソレノイド８０の付勢による、アーム７９の支軸８１を中心とする回動と、この回動によりアーム７９端がフランジ７７を押し込んで、ピン７８端を透孔７２および小孔７４に貫入する動作である。これにより、電源受電部７１は電源給電部７３内に抜け止め（ロック）されて保持される。なお、この抜け止め状態は、認証情報入力によるロック装置４８の動作解除、つまりソレノイド８０の消勢と、コイルスプリング７６によるピン７８の復帰作動とにより、解除される。
【００３４】
また、電源ケーブルに接続された充電アダプタを電源供給部Ｂとして用い、この充電アダプタ側でロック作動を行わせる場合にも、図８に示すような構成を採用できる。さらに、充電アダプタ側でロック作動を行わせるのに、モジュラーフック（図示しない）を利用することもできる。この場合には、携帯端末Ａ２に設けられた係止切欠に係止されるモジュラーフックに、ピン形の復帰動作阻止部材を係止したり係止解除したりすればよい。
【００３５】
図９は、本発明の実施の他の形態による携帯端末Ａ３を示すブロック図である。この実施の形態では、遠隔からの指令により、携帯端末Ａ３側でアダプタ側のロックを行えるようにしている。携帯端末Ａ３は、認証結果を外部から受信する通信部９１と、認証制御部９２と、盗難防止管理部９３と、ロック機構制御９４とロック装置９５とを備える。通信部９１が設けられ、認証入力装置が除外されたところが、図１の携帯端末Ａ３と構成上異なる。この携帯端末Ａ３は、インターネットなどのネットワーク９６を介して外部装置Ｃに接続されている。この外部装置Ｃは、携帯電話機やパソコン、あるいはネットワークサーバであり、認証入力装置９７および通信部９８を備えている。なお、外部装置Ｃには認証情報データベース（図示せず）が設けられる。
【００３６】
出張先等の遠隔地で、室内のコンセントに携帯端末Ａ３側のプラグを差し込み、さらに前記のようなロック状態でバッテリの充電を行う場合がある。この場合に、携帯端末Ａ３を忘れてそのまま帰宅しまたは帰路の途中で気が付いて、知人、友人などに携帯端末を取りに行ってもらうことがある。このとき、携帯端末Ａ３の所有者は知人や友人の携帯端末や自身のパソコンなどの外部装置Ｃの認証入力装置９７から所定の認証情報を入力する。この認証情報は通信部９８からネットワーク９６を介してロック状態にある携帯端末Ａ３に送信される。
【００３７】
携帯端末Ａ３では、図１０のフローチャートに示すように、その認証情報とともにロックまたはロック解除に関する制御情報を受信し、図示しない制御情報解析部で制御情報の解析を行う（ステップＳ１０１）。そして解析結果がロック要求である場合には（ステップＳ１０２）、現在ロック解除中か否かを調べる（ステップＳ１０３）。一方、解析結果がロック解除要求である場合には（ステップＳ１０２）、現在ロック中か否かを調べる（ステップＳ１０４）。そして、ロック解除中またはロック中であった場合に、通信部９１を介して外部装置Ｃから入力された認証情報が正しいか否かを認証判定部９２で判定し（ステップＳ１０５、ステップＳ１０６）、正しいと判定された場合には、盗難防止管理部９３は、認証が成功したことを示す信号をロック機構制御部９４に送り、ロック装置９５はロック機構の作動またはロック機構の作動解除を行う（ステップＳ１０７、ステップＳ１０８）。ロック機構の作動によって他人が不正に携帯端末Ａ３を持ち去るのを防止できる。一方、ロック機構の解除によって、取りに来た友人や知人は携帯端末Ａ３のプラグをコンセントから抜くなどして、携帯端末Ａ３を所有者に届けることができる。従って、携帯端末Ａ３は正規の認証情報を受信した場合にのみ、ロックまたはロック解除を行うこととなり、盗難を防ぐことができる。なお、このようなネットワークサービスを利用したロック装置の制御は、ＳＭＳ（ショートメッセージサービス）やＥメールなどネットワークを利用したあらゆる受信方法を採用できる。
【００３８】
図１１は、本発明の実施のさらに他の形態による携帯端末Ａ４を示すブロック図である。この実施の形態は、不正にロック機構を破壊して他人が携帯端末Ａ４を持ち去る場合に通報または警報をするものである。この携帯端末Ａ４は図１に示すものと同様の認証入力装置１１１と、認証判定部１１２と、盗難防止管理部１１３と、ロック機構制御部１１４と、ロック装置１１５とを備えるほかに、バッテリ１１６や電源受電部１１７および電源制御部１１８を備えている。ここで、盗難防止管理部１１３は、携帯端末Ａ４本体と本体外部との接続異常を検知するものであり、ロック装置１１５の破壊や携帯端末Ａ４の強引な引き抜きによる電源ケーブルの破壊などを検知して盗難通知信号を出力または警報を発するものである。盗難防止管理部１１３は、外部の電源供給部と電源受給部１１７との間の電圧変動に基づいて接続異常を検知する。盗難通知部１１９は、盗難通知信号を盗難防止管理部１１３から受けて、緊急連絡先データベース１２３から緊急連絡先を検索し、通信部１２０や発呼部１２１を通じて警備機関、使用者端末のパソコンなどの指定緊急連絡先１２２へ盗難通知を行うものである。盗難防止管理部１１３、盗難通知部１１９、通信部１２０及び発呼部１２１は、接続異常の発生を通知するものである。
【００３９】
このような携帯端末Ａ４では、図１２に示すように、盗難防止管理部１１３が、ロック装置１１５に供給される電圧が所定の正常レベルにあることを検知している（ステップＳ１３１）。一方、前記のようにプラグとコンセントとを接続し、この接続をロックする要求があった場合には（ステップＳ１３２）、ロック装置によるロックを行わせる（ステップＳ１３３）。一方、このロック状態において、第三者がロック装置１１５を破壊したり、携帯端末Ａ４の強引な引き抜きを行ったりすると、盗難防止管理部１１３はこれらの不正行為を通電感知によって、つまりロック装置１１５に加えられている電圧の変動または電力遮断によって検知する（ステップＳ１３４）。
【００４０】
通電が正常に感知された場合には破壊などがないと判断されるため、次に認証が正しいか否かを判定し（ステップＳ１３５）、正しい場合にはロック機構解除の要求があると（ステップＳ１３６）、ロック機構の解除を行う。一方、通電が異常である場合には、前記のようなロック装置１１５の破壊による盗難があると判定する。盗難通知部１１９は通信部１２０や発呼部１２１を通じて指定緊急連絡先１２２へ盗難通知したり、携帯端末内に設けられた警報装置（図示しない）を作動して周辺に警報したりする（ステップＳ１３７）。これにより、盗難の早い発見と携帯端末Ａ４の悪用を未然に回避できる。また、携帯端末Ａ４付近に警報を発することにより、携帯端末Ａ４を持ち去ろうとする第三者を威圧することができる。なお、通電異常が検知された場合に、携帯端末Ａ４のアプリケーションの動作を停止させる等、携帯端末の操作を制限することができる。これにより、不正通話や電子マネーの使用等を回避することができる。なお、操作の制限は、記憶されているデータの変更を停止する、通話機能や電子メール等の通信機能を停止する、全ての操作を不能にする等、段階的に設定できるものとする。なお、携帯端末Ａ４の強引な取り外しによるロック装置の破損検知は、電圧レベルの変化や通電の有無を確認できればよい。また、本実施の形態では、携帯端末Ａ４が携帯端末本体と本体外部との接続異常を検知する検知手段や接続異常の発生を通知する通知手段及び接続異常を検知して携帯端末の操作を制限する制限手段を有する例を説明したが、これらの手段をアダプタに持たせてもよい。この場合、アダプタの制御手段は、接続異常を検知して携帯端末の操作を制限する制御信号を送信する。
【００４１】
以上説明したように、バッテリ充電時に携帯端末本体と本体外部とのプラグやアダプタなどによる接続の解除を規制し、この接続を解除する場合に認証を要求し、認証が正しくない場合に接続解除を許可しないようにすることで、携帯端末の強引な持ち去りを防止することができる。
【産業上の利用可能性】
【００４２】
本発明の携帯端末及びアダプタは、強引な持ち去りを防止できる効果を有し、携帯端末の盗難防止技術等に利用できる。
【図面の簡単な説明】
【００４３】
【図１】本発明の実施の一形態による携帯端末を示すブロック図である。
【図２】図１のロック装置によるロックおよびロック解除手順を示すフローチャートである。
【図３】図１の携帯端末におけるロック装置の構成例を示す説明図である。
【図４】図１の携帯端末におけるロック装置の他の構成例を示す概念図である。
【図５】本発明の実施の他の形態による携帯端末と電源供給部を示すブロック図である。
【図６】図５の携帯端末側におけるロック装置のロックおよびロック解除手順を示すフローチャートである。
【図７】図５の電源供給部側におけるロックおよびロック解除手順を示すフローチャートである。
【図８】図５の電源供給部に設けられるロック装置をロック作動の前後状態に亘って示す説明図である。
【図９】本発明の実施の他の形態による携帯端末と外部装置を示すブロック図である。
【図１０】図９のロック装置によるロックおよびロック解除手順を示すフローチャートである。
【図１１】本発明の実施の他の形態による携帯端末を示すブロック図である。
【図１２】図１１の盗難防止管理部による盗難防止手順を示すフローチャートである。
【符号の説明】
【００４４】
Ａ１、Ａ２、Ａ３、Ａ４  携帯端末
Ｂ  電源供給部
Ｃ  外部装置
１、４１、９７、１１１  認証入力装置
２、４２、９２、１１２  認証判定部
３、４３、９３、１１３  盗難防止管理部
４、４７、９４、１１４  ロック機構制御部
５、４８、９５、１１５  ロック装置
２１、７１、１１７  電源受電部
２６  充電アダプタ
４４  ロック作動情報出力部
４５、４６  送受信部
７３  電源給電部
９１、９８、１２０  通信部
１１９  盗難通知部
【図１】
2005184237.tif 000003
【図２】
2005184237.tif 000004
【図３】
2005184237.tif 000005
【図４】
2005184237.tif 000006
【図５】
2005184237.tif 000007
【図６】
2005184237.tif 000008
【図７】
2005184237.tif 000009
【図８】
2005184237.tif 000010
【図９】
2005184237.tif 000011
【図１０】
2005184237.tif 000012
【図１１】
2005184237.tif 000013
【図１２】
2005184237.tif 000014